(57)【要約】【課題】開店時に店内の混乱を招かない遊技機を提供すること。【解決手段】遊技機は、通常遊技状態と特定遊技状態とでランプ表示が異なり、かつ電源遮断時の遊技状態を記憶するバックアップ機能を備える。遊技機は、ランプ表示変更手段（切替スイッチ２３）を有し、ランプ表示変更手段２３は、電源遮断時に記憶した遊技状態が特定遊技状態であった場合に、電源投入後、通常遊技状態のランプ表示を行わせる。また、ランプ表示変更手段２３は、通常遊技状態のランプ表示が行われているとき、例えば始動入賞口に遊技球が入賞するという条件が満たされると、特定遊技状態のランプ表示に切替える。【選択図】図２
2007125436.tif 000002
【特許請求の範囲】
【請求項１】
通常遊技状態と遊技者にとって通常遊技状態よりも有利な遊技状態である特定遊技状態とでランプ表示が異なり、かつ電源遮断時の遊技状態を記憶するバックアップ機能を備えた遊技機において、
ランプ表示変更手段を設け、該ランプ表示変更手段は、電源遮断時に記憶した遊技状態が特定遊技状態であった場合に、電源投入後、通常遊技状態のランプ表示を行わせると共に、前記ランプ表示変更手段により通常遊技状態のランプ表示が行われているとき、所定の遊技条件が満たされると、特定遊技状態のランプ表示に切替えられることを特徴とする遊技機。
【請求項２】
前記所定の遊技条件は、始動入賞口に遊技球が入賞するという条件であることを特徴とする請求項１に記載の遊技機。
【発明の詳細な説明】
【技術分野】
【０００１】
本発明は、遊技機、詳しくは、パチンコ遊技機、スロットマシン等遊技機に関する。
【背景技術】
【０００２】
最近、電源遮断時に遊技情報（遊技状態、変動保留個数、未払出分の賞球個数等）を記憶するバックアップ機能を備えた遊技機が登場した。
【発明の開示】
【発明が解決しようとする課題】
【０００３】
しかしながら、バックアップ機能を備えた遊技機は、確率変動状態や時短状態の途中で閉店時刻となり電源が遮断された場合、そのような特定遊技状態を翌日の開店時刻（電源投入時）まで記憶する。
【０００４】
このため、開店時刻に電源が再び投入されると、特定遊技状態で遊技が再開され、遊技開始時から特定遊技状態を示すランプ表示が行われることとなる。
【０００５】
開店時には、開店待ちをしていた大勢の遊技客が店内に流れ込み、自分が遊技したい遊技機を見つけ出して確保するのが通例であり、このようなときに、通常遊技状態（特定遊技状態以外の遊技状態）のランプ表示とは明らかに異なる特定遊技状態のランプ表示がされている遊技機を見つければ、この遊技機に大勢の遊技客が殺到し、店内の混乱を招くこととなることは明白である。
【０００６】
本発明は、上記のような問題点を解決し、開店時に店内の混乱を招かない遊技機を提供することを目的とする。
【課題を解決するための手段】
【０００７】
本発明の遊技機は、通常遊技状態と遊技者にとって通常遊技状態よりも有利な遊技状態である特定遊技状態とでランプ表示が異なり、かつ電源遮断時の遊技状態を記憶するバックアップ機能を備えた遊技機において、ランプ表示変更手段を設け、該ランプ表示変更手段は、電源遮断時に記憶した遊技状態が特定遊技状態であった場合に、電源投入後、通常遊技状態のランプ表示を行わせると共に、前記ランプ表示変更手段により通常遊技状態のランプ表示が行われているとき、所定の遊技条件が満たされると、特定遊技状態のランプ表示に切替えられることを特徴とする。
【発明を実施するための最良の形態】
【０００８】
以下、本発明による遊技機の実施形態を図面に基づいて説明する。
【０００９】
図１及び図２は、遊技機の一実施形態の構成を示し、図１は、パチンコ遊技機の電気系統図、図２は、フローチャートである。
【００１０】
図１において、電源基板１は、通常時に主基板２等に電源を供給する。また、電源基板１は、電源遮断時に主基板２等にバックアップ電源を供給する。
【００１１】
主基板２は電源基板１に接続されている。主基板２はＣＰＵ２１、ＲＡＭ２２、切替スイッチ２３等を備える。ＣＰＵ２１は、バックアップ機能を有しており、電源が遮断されたとき、その時の遊技情報（遊技状態、変動保留個数、未払出分の賞球個数等）をＲＡＭ２２に記憶させる。切替スイッチ２３は、ホールの店員によってオンオフ操作可能なスイッチであり、パチンコ遊技機の裏側に設けられる。切替スイッチ２３は、パチンコ遊技機に電源が投入された時のランプ３の表示状態を決定する作用をし、電源投入時に切替スイッチ２３がオン状態である場合は、電源投入前の電源遮断時の遊技状態が特定遊技状態（確率変動状態、時短状態等高確率遊技状態）であるか通常遊技状態（低確率遊技状態）であるかにかかわらず常に通常遊技状態のランプ表示を行わせ、一方、電源投入時に切替スイッチ２３がオフ状態である場合は、電源投入前の電源遮断時の遊技状態を示すランプ表示を行わせる。なお、このような切替スイッチ２３によって電源投入時のランプ表示を決定するのは、ホール側の意志を尊重し、ホール側の任意によって電源投入時のランプ表示を選択できるようにするためである。
【００１２】
ランプ制御基板４は主基板２に接続されている。ランプ制御基板４はＣＰＵ４１、ＲＯＭ４２等を備える。ＲＯＭ４２は、低確率遊技状態のランプパターン及び高確率遊技状態のランプパターンを記憶している。ＣＰＵ４１は、主基板２のＣＰＵ２１からの指示に従い、ＲＯＭ４２から低確率遊技状態のランプパターン又は高確率遊技状態のランプパターンを読み出し、ランプ３に低確率遊技状態のランプパターン又は高確率遊技状態のランプパターンでランプ表示させる。
【００１３】
始動スイッチ５は、遊技盤の始動入賞口に遊技球が入賞したことを検出するためのスイッチである。始動入賞口に遊技球が入賞すると、始動スイッチ５がオンし、始動口入賞検出信号が主基板２のＣＰＵ２１に送信される。
【００１４】
上記のように構成されたパチンコ遊技機において、閉店時刻に電源が遮断されると、主基板２のＣＰＵ２１は、電源基板１からバックアップ電源の供給を受け、電源遮断時の遊技情報をＲＡＭ２２に記憶させる。
【００１５】
そして、パチンコ遊技機は翌日等の開店時に図２に示すような処理を行う。
【００１６】
まず、開店時刻に電源が投入されると（ステップ１）、主基板２のＣＰＵ２１は、切替スイッチ２３がオン状態かオフ状態かを判定する（ステップ２）。
【００１７】
ＣＰＵ２１は、切替スイッチ２３がオフ状態であると判定した場合、ＲＡＭ２２が記憶している遊技状態を読み出し、ランプ制御基板４のＣＰＵ４１に対し、この読み出した遊技状態のランプ表示をランプ３にさせる旨の指示をし、ＣＰＵ４１は、ＲＯＭ４２からこの遊技状態のランプパターンを読み出し、ランプ３をこのランプパターンでランプ表示させ（ステップ３）、電源投入時の処理を終了する。したがって、電源投入時に切替スイッチ２３がオフ状態である場合、電源遮断時の遊技状態が通常遊技状態のときは電源投入時に通常遊技状態のランプ表示が行われ、また、電源遮断時の遊技状態が特定遊技状態のときは電源投入時に特定遊技状態のランプ表示が行われる。
【００１８】
一方、切替スイッチ２３がオン状態であると判定した場合、主基板２のＣＰＵ２１は、ＲＡＭ２２が記憶している遊技状態が高確率遊技状態（特定遊技状態）であるかどうかを判定する（ステップ４）。ＣＰＵ２１が高確率遊技状態の判定をした場合、低確率遊技状態のランプ表示を行うようランプ制御基板４のＣＰＵ４１に指示し、ＣＰＵ４１はＲＯＭ４２から低確率遊技状態のランプパターンを読み出し、ランプに低確率遊技状態のランプ表示をさせる（ステップ５）。そして、ＣＰＵ２１は、始動スイッチ５がオフ状態の間、低確率遊技状態のランプ表示を指示し続け（ステップ６、５）、始動スイッチ５がオンして始動口入賞検出信号が入力されると、ランプ制御基板４のＣＰＵ４１に対し、ＲＡＭ２２が記憶している遊技状態つまり高確率遊技状態のランプ表示を指示し、ＣＰＵ４１は、ＲＯＭ４２から高確率遊技状態のランプパターンを読み出し、ランプ３を高確率遊技状態のランプパターンでランプ表示させ（ステップ６、３）、電源投入時の処理を終了する。したがって、電源投入時に切替スイッチ２３がオン状態である場合、電源遮断時の遊技状態が通常遊技状態のときは電源投入時に通常遊技状態のランプ表示が行われ、また、電源遮断時の遊技状態が特定遊技状態のときは電源投入時に通常遊技状態のランプ表示が行われ、その後、始動入賞口に遊技球が入賞すると特定遊技状態のランプ表示に切り替わる。
【００１９】
図３及び図４は、遊技機の他の実施形態の構成を示し、図３は、パチンコ遊技機の電気系統図、図４は、フローチャートである。
【００２０】
この他の実施形態に係る電気系統は、上述した実施形態では主基板２に切替スイッチ２３を設けているのに対し、切替スイッチ２３と同様の作用をホールコンピュータ６のランプ表示態様変更信号出力手段６１にもたせるようにしている。その他の構成は上述した実施形態と同様である。ここで、ホールコンピュータ６は、パチンコホール内の各パチンコ遊技機に接続されるホストコンピュータであり、各パチンコ遊技機の遊技状態を常に把握することができる。
【００２１】
ホールコンピュータ６のランプ表示態様変更信号出力手段６１は、オペレータによって操作可能な手段であり、各パチンコ遊技機に電源が投入された時のランプ３の表示状態を決定する作用をし、電源投入時にランプ表示態様変更信号出力手段６１がランプ表示態様変更信号を出力している場合は、電源投入前の電源遮断時の遊技状態が特定遊技状態であるか通常遊技状態であるかにかかわらず常に通常遊技状態のランプ表示を行わせ、一方、電源投入時にランプ表示態様変更信号が出力されていない場合は、電源投入時に電源遮断時の遊技状態を示すランプ表示を行わせる。
【００２２】
上記のように構成されたパチンコ遊技機において、閉店時刻に電源が遮断されると、主基板２のＣＰＵ２１は、電源基板１からバックアップ電源の供給を受け、電源遮断時の遊技情報をＲＡＭ２２に記憶させる。
【００２３】
そして、パチンコ遊技機は翌日等の開店時に図４に示すような処理を行う。
【００２４】
まず、開店時刻に電源が投入されると（ステップ１１）、主基板２のＣＰＵ２１は、ランプ表示態様変更信号が出力されているかどうか、つまり、ランプ表示態様変更信号がオンがどうかを判定する（ステップ１２）。
【００２５】
ＣＰＵ２１は、ランプ表示態様変更信号がオフであると判定した場合、ＲＡＭ２２が記憶している遊技状態を読み出し、ランプ制御基板４のＣＰＵ４１に対し、この読み出した遊技状態のランプ表示をランプ３にさせる旨の指示をし、ＣＰＵ４１は、ＲＯＭ４２からこの遊技状態のランプパターンを読み出し、ランプ３をこのランプパターンでランプ表示させ（ステップ１３）、電源投入時の処理を終了する。したがって、電源投入時にランプ表示態様変更信号がオフである場合、電源遮断時の遊技状態が通常遊技状態のときは電源投入時に通常遊技状態のランプ表示が行われ、また、電源遮断時の遊技状態が特定遊技状態のときは電源投入時に特定遊技状態のランプ表示が行われる。
【００２６】
一方、ランプ表示態様変更信号がオンであると判定した場合、主基板２のＣＰＵ２１は、ＲＡＭ２２が記憶している遊技状態が高確率遊技状態であるかどうかを判定する（ステップ１４）。ＣＰＵ２１が高確率遊技状態の判定をした場合、低確率遊技状態のランプ表示を行うようランプ制御基板４のＣＰＵ４１に指示し、ＣＰＵ４１はＲＯＭ４２から低確率遊技状態のランプパターンを読み出し、ランプ３に低確率遊技状態のランプ表示をさせる（ステップ１５）。そして、ＣＰＵ２１は、始動スイッチ５がオフ状態の間、低確率遊技状態のランプ表示を指示し続け（ステップ１６、１５）、始動スイッチ５がオンして始動口入賞検出信号が入力されると、ランプ制御基板４のＣＰＵ４１に対し、ＲＡＭ２２が記憶している遊技状態つまり高確率遊技状態のランプ表示を指示し、ＣＰＵ４１は、ＲＯＭ４２から高確率遊技状態のランプパターンを読み出し、ランプ３を高確率遊技状態のランプパターンでランプ表示させ（ステップ１６、１３）、電源投入時の処理を終了する。したがって、電源投入時にランプ表示態様変更信号がオンである場合、電源遮断時の遊技状態が通常遊技状態のときは電源投入時に通常遊技状態のランプ表示が行われ、また、電源遮断時の遊技状態が特定遊技状態のときは電源投入時に通常遊技状態のランプ表示が行われ、その後、始動入賞口に遊技球が入賞すると特定遊技状態のランプ表示に切り替わる。
【００２７】
以上説明したように、本実施形態の遊技機は、通常遊技状態と特定遊技状態とでランプ表示が異なり、かつ電源遮断時の遊技状態を記憶するバックアップ機能を備えた遊技機において、ランプ表示変更手段（切替スイッチ２３又はランプ表示態様変更信号出力手段６１）を設け、ランプ表示変更手段２３又は６１は、電源遮断時に記憶した遊技状態が特定遊技状態であった場合に、電源投入後、通常遊技状態のランプ表示を行わせる。
【００２８】
このため、本実施形態によると、閉店時に特定遊技状態であったパチンコ遊技機に電源が投入されたとき通常遊技状態を示すランプ表示が行われることとなるため、開店時に、特定遊技状態のランプ表示がなされているパチンコ遊技機に遊技客が殺到し店内の混乱を招く不具合を防止することができる。
【００２９】
また、ランプ表示変更手段２３又は６１により通常遊技状態のランプ表示が行われているとき、所定の遊技条件（例えば始動入賞口に遊技球が入賞するという条件）が満たされると、特定遊技状態のランプ表示に切替えられるため、実際の遊技状態に合ったランプ表示が行われるようになる。
【図面の簡単な説明】
【００３０】
【図１】遊技機の一実施形態の電気系統図である。
【図２】そのフローチャートである。
【図３】遊技機の他の実施形態の電気系統図である。
【図４】そのフローチャートである。
【符号の説明】
【００３１】
２３    ランプ表示変更手段（切替スイッチ）
６１    ランプ表示変更手段（ランプ表示態様変更信号出力手段）
【図１】
2007125436.tif 000003
【図２】
2007125436.tif 000004
【図３】
2007125436.tif 000005
【図４】
2007125436.tif 000006